(57)【要約】【課題】本発明は非撮影待機状態でのメインスイッチの操作の誤動作を適切に防止するカメラを提供する。【解決手段】カメラ１は、非撮影待機状態時にメインスイッチ７がオン操作されると、制御部３が、測光部４に測光動作を行わせるとともに測距部５に測距動作を行わせ、当該測光部４の測光結果が所定測光レベルよりも明るく、かつ、当該測距部５の測距結果が所定距離よりも遠いと、メインスイッチ７のオン操作が撮影可能状態での操作であると判断して、レンズ鏡銅６を本体筐体２内に収納した非撮影待機状態から本体筐体２から所定量突出した待機位置に繰り出す撮影待機状態に移行する。【選択図】　　　　　図１
2004037922.tif 000002
【特許請求の範囲】
【請求項１】
カメラ本体内に収納可能なレンズ鏡銅とメインスイッチを備え、前記メインスイッチがオン操作されると、前記レンズ鏡銅を、前記カメラ本体内に収納した非撮影待機状態から前記カメラ本体から所定量突出した待機位置に繰り出す撮影待機状態に移行するカメラにおいて、前記非撮影待機状態時に前記メインスイッチがオン操作されると、当該メインスイッチのオン操作が撮影可能な状態での操作であるかを判断し、撮影可能な状態での操作であると判断すると、前記撮影待機状態に移行させる制御手段を備えたことを特徴とするカメラ。
【請求項２】
前記制御手段は、前記非撮影待機状態時に前記メインスイッチが所定時間以上連続してオン操作されると、当該メインスイッチのオン操作が撮影不可能な状態での操作であっても、前記撮影待機状態に移行させることを特徴とする請求項１記載のカメラ。
【請求項３】
前記制御手段は、前記非撮影待機状態時に前記メインスイッチが所定時間内に所定回数オン操作されると、当該メインスイッチのオン操作が撮影不可能な状態での操作であっても、前記撮影待機状態に移行させることを特徴とする請求項１記載のカメラ。
【請求項４】
前記カメラは、測光手段を備え、前記制御手段は、前記非撮影待機状態時に前記メインスイッチがオン操作されると、前記測光手段に測光動作を行わせ、当該測光手段の測光結果に基づいて、前記メインスイッチのオン操作が撮影可能な状態での操作であるかを判断することを特徴とする請求項１から請求項３のいずれかに記載のカメラ。
【請求項５】
前記カメラは、測光手段を備え、前記制御手段は、前記非撮影待機状態時に前記メインスイッチがオン操作されると、前記測光手段に測光動作を行わせ、当該測光手段の測光結果が所定レベルよりも明るいと、前記メインスイッチのオン操作が撮影可能な状態での操作であるかを判断することを特徴とする請求項１から請求項３のいずれかに記載のカメラ。
【請求項６】
前記カメラは、測光手段と測距手段を備え、前記制御手段は、前記非撮影待機状態時に前記メインスイッチがオン操作されると、前記測光手段に測光動作を行わせるとともに前記測距手段に測距動作を行わせ、当該測光手段の測光結果が所定測光レベルよりも明るく、かつ、当該測距手段の測距結果が所定距離よりも遠いと、前記メインスイッチのオン操作が撮影可能状態での操作であると判断して、前記撮影待機状態に移行させることを特徴とする請求項１から請求項３のいずれかに記載のカメラ。
【請求項７】
前記カメラは、測光手段と測距手段を備え、前記制御手段は、前記非撮影待機状態時に前記メインスイッチがオン操作されると、前記測光手段に測光動作を行わせるとともに前記測距手段に測距動作を行わせ、当該測光手段の測光結果が所定測光レベルよりも明るく、かつ、当該測距手段の測距結果が測距可能であると、前記メインスイッチのオン操作が撮影可能状態での操作であると判断して、前記撮影待機状態に移行させることを特徴とする請求項１から請求項３のいずれか記載のカメラ。
【請求項８】
前記カメラは、前記所定測光レベル及び前記所定測距レベルを書換可能に記憶する記憶手段を備え、当該記憶手段の記憶する前記所定測光レベル及び前記所定測距レベルが適宜変更可能であることを特徴とする請求項４から請求項７のいずれかに記載のカメラ。
【発明の詳細な説明】
【０００１】
【発明の属する技術分野】
本発明は、カメラに関し、詳細には、非撮影待機状態でのメインスイッチの操作の誤動作を適切に防止するカメラに関する。
【０００２】
【従来の技術】
近時、デジタルカメラに代表されるように、カメラにおいても内蔵電池でその動作が駆動され、この電池の消耗を削減するために、カメラでは、一定時間操作が行われないと、自動的に非撮影待機状態に移行するモードを備えており、非撮影待機状態に移行すると、カメラの表示部に非撮影待機状態である旨を表示するようになっている。
【０００３】
ところが、カメラが非撮影待機状態になっているかどうかは、カメラの状態を表示する表示部を見ることで、確認できるが、ファインダを覗いただけでは、分からず、非撮影待機状態から撮影待機状態へはメインスイッチをオンするようになっていたため、メインスイッチの入れ忘れ時の操作性が悪いという問題があった。
【０００４】
そこで、メインスイッチの入れ忘れ時の操作性を向上させるために、従来、撮影待機状態と非撮影待機状態にするメインスイッチと、撮影待機状態にある際に操作される所定の動作を開始させる為の複数の操作スイッチとを備えたカメラにおいて、該カメラが非撮影待機状態時に、前記メインスイッチ以外の前記操作スイッチの何れかが操作されることにより、該操作スイッチが適正に行われたものか否かを調べ、適正に行われたと判断できれば該カメラを撮影待機状態に設定する制御手段を設けたカメラが提案されている（特開平０８−２９８４４号公報参照）。
【０００５】
すなわち、この従来技術は、カメラが非撮影待機状態時に、メインスイッチ以外の操作スイッチの何れかが操作されると、当該操作スイッチが適正に行われたか否かを調べ、適正に行われたと判断すると、カメラを撮影待機状態にして、メインスイッチを入れ忘れている場合にも、速写性を向上させて、カメラの操作性を向上させようとしている。
【０００６】
【発明が解決しようとする課題】
しかしながら、このような従来のカメラにあっては、速写性に重点がおかれており、メインスイッチ以外のスイッチでカメラを操作可能な状態としているため、カメラの誤動作を適切に回避することができず、改良の必要があった。
【０００７】
すなわち、今日、カメラの小型化の進んできており、カメラを専用のケースに入れて持ち歩くだけでなく、カメラを専用のケースに入れた状態でバッグ等に入れて持ち歩いたり、カメラを直接専用でないバッグ等に入れて持ち歩くことが多くなってきているが、バッグ等の中で、バッグ等の中の他のものと接触して、メインスイッチ以外のスイッチが押されることがあり、このような場合、上記従来のカメラには、撮影待機状態に移行するべきメインスイッチ動作の禁止という概念が存在しないため、ケース内でのメインスイッチによる誤動作を回避することができないという問題があった。
【０００８】
そこで、請求項１記載の発明は、メインスイッチがオン操作されると、レンズ鏡銅を、カメラ本体内に収納した非撮影待機状態からカメラ本体から所定量突出した待機位置に繰り出す撮影待機状態に移行する場合に、非撮影待機状態時にメインスイッチがオン操作されると、当該メインスイッチのオン操作が撮影可能な状態での操作であるかを判断し、撮影可能な状態での操作であると判断すると、撮影待機状態に移行することにより、例えば、カメラ専用のケースやバッグ等の中にカメラが収納されて非撮影待機状態にある状態で、メインスイッチがオン操作されても、撮影不可能状態であると判断して、撮影待機状態への移行を禁止して、ケースやバッグ等の中でレンズ鏡銅が待機位置に繰り出されてケースを破損したり、レンズ鏡銅やレンズ鏡銅の駆動系に過負荷がかかって損傷を与えることを防止し、利用性の良好なカメラを提供することを目的としている。
【０００９】
請求項２記載の発明は、非撮影待機状態時にメインスイッチが所定時間以上連続してオン操作されると、当該メインスイッチのオン操作が撮影不可能な状態での操作であっても、撮影待機状態に移行することにより、非常に暗く、被写体にコントラストがない撮影状況等のように種々の撮影状況に応じて、メインスイッチを連続してオン操作することで、適切に撮影待機状態に移行して撮影できるようにし、より一層利用性の良好なカメラを提供することを目的としている。
【００１０】
請求項３記載の発明は、非撮影待機状態時にメインスイッチが所定時間内に所定回数オン操作されると、当該メインスイッチのオン操作が撮影不可能な状態での操作であっても、撮影待機状態に移行することにより、非常に暗く、被写体にコントラストがない撮影状況等のように種々の撮影状況に応じて、メインスイッチを所定回数オン操作することで、適切に撮影待機状態に移行して撮影できるようにし、より一層利用性の良好なカメラを提供することを目的としている。
【００１１】
請求項４記載の発明は、非撮影待機状態時にメインスイッチがオン操作されると、測光手段に測光動作を行わせ、当該測光手段の測光結果に基づいて、メインスイッチのオン操作が撮影可能な状態での操作であるかを判断することにより、例えば、カメラがケースやバッグ等の中に収納されて暗い状態であるかどうかで撮影可能状態かどうかを安価にかつ適切に判断して、撮影待機状態に移行するかどうかを制御し、安価で利用性の良好なカメラを提供することを目的としている。
【００１２】
請求項５記載の発明は、非撮影待機状態時にメインスイッチがオン操作されると、測光手段に測光動作を行わせ、当該測光手段の測光結果が所定レベルよりも明るいと、メインスイッチのオン操作が撮影可能な状態での操作であるかを判断することにより、例えば、カメラがケースやバッグ等の中に収納されて暗い状態であるかどうかで撮影可能状態かどうかを安価にかつ適切に判断して、撮影待機状態に移行するかどうかを制御し、安価で利用性の良好なカメラを提供することを目的としている。
【００１３】
請求項６記載の発明は、非撮影待機状態時にメインスイッチがオン操作されると、測光手段に測光動作を行わせるとともに測距手段に測距動作を行わせ、当該測光手段の測光結果が所定測光レベルよりも明るく、かつ、当該測距手段の測距結果が所定距離よりも遠いと、メインスイッチのオン操作が撮影可能状態での操作であると判断して、撮影待機状態に移行することにより、測光と測距の両方に基づいて撮影可能状態かどうかを安価にかつより一層適切に判断して、撮影待機状態に移行するかどうかを制御し、安価でより一層利用性の良好なカメラを提供することを目的としている。
【００１４】
請求項７記載の発明は、非撮影待機状態時にメインスイッチがオン操作されると、測光手段に測光動作を行わせるとともに測距手段に測距動作を行わせ、当該測光手段の測光結果が所定測光レベルよりも明るく、かつ、当該測距手段の測距結果が測距可能であると、メインスイッチのオン操作が撮影可能状態での操作であると判断して、撮影待機状態に移行することにより、測光と測距の両方に基づいて撮影可能状態かどうかを安価にかつより一層適切に判断して、撮影待機状態に移行するかどうかを制御し、安価でより一層利用性の良好なカメラを提供することを目的としている。
【００１５】
請求項８記載の発明は、撮影可能状態か否かの判断基準としての所定測光レベル及び所定測距レベルを書換可能に記憶手段に記憶し、所定測光レベル及び所定測距レベルを適宜変更可能とすることにより、カメラの利用形態に応じて、撮影可能状態かどうかをより一層適切に判断し、より一層利用性の良好なカメラを提供することを目的としている。
【００１６】
【課題を解決するための手段】
請求項１記載の発明のカメラは、カメラ本体内に収納可能なレンズ鏡銅とメインスイッチを備え、前記メインスイッチがオン操作されると、前記レンズ鏡銅を、前記カメラ本体内に収納した非撮影待機状態から前記カメラ本体から所定量突出した待機位置に繰り出す撮影待機状態に移行するカメラにおいて、前記非撮影待機状態時に前記メインスイッチがオン操作されると、当該メインスイッチのオン操作が撮影可能な状態での操作であるかを判断し、撮影可能な状態での操作であると判断すると、前記撮影待機状態に移行させる制御手段を備えることにより、上記目的を達成している。
【００１７】
上記構成によれば、メインスイッチがオン操作されると、レンズ鏡銅を、カメラ本体内に収納した非撮影待機状態からカメラ本体から所定量突出した待機位置に繰り出す撮影待機状態に移行する場合に、非撮影待機状態時にメインスイッチがオン操作されると、当該メインスイッチのオン操作が撮影可能な状態での操作であるかを判断し、撮影可能な状態での操作であると判断すると、撮影待機状態に移行するので、例えば、カメラ専用のケースやバッグ等の中にカメラが収納されて非撮影待機状態にある状態で、メインスイッチがオン操作されても、撮影不可能状態であると判断して、撮影待機状態への移行を禁止して、ケースやバッグ等の中でレンズ鏡銅が待機位置に繰り出されてケースを破損したり、レンズ鏡銅やレンズ鏡銅の駆動系に過負荷がかかって損傷を与えることを防止することができ、カメラの利用性を向上させることができる。
【００１８】
この場合、例えば、請求項２に記載するように、前記制御手段は、前記非撮影待機状態時に前記メインスイッチが所定時間以上連続してオン操作されると、当該メインスイッチのオン操作が撮影不可能な状態での操作であっても、前記撮影待機状態に移行させるものであってもよい。
【００１９】
上記構成によれば、非撮影待機状態時にメインスイッチが所定時間以上連続してオン操作されると、当該メインスイッチのオン操作が撮影不可能な状態での操作であっても、撮影待機状態に移行するので、非常に暗く、被写体にコントラストがない撮影状況等のように種々の撮影状況に応じて、メインスイッチを連続してオン操作することで、適切に撮影待機状態に移行して撮影することができ、カメラの利用性をより一層向上させることができる。
【００２０】
また、例えば、請求項３に記載するように、前記制御手段は、前記非撮影待機状態時に前記メインスイッチが所定時間内に所定回数オン操作されると、当該メインスイッチのオン操作が撮影不可能な状態での操作であっても、前記撮影待機状態に移行させるものであってもよい。
【００２１】
上記構成によれば、非撮影待機状態時にメインスイッチが所定時間内に所定回数オン操作されると、当該メインスイッチのオン操作が撮影不可能な状態での操作であっても、撮影待機状態に移行するので、非常に暗く、被写体にコントラストがない撮影状況等のように種々の撮影状況に応じて、メインスイッチを所定回数オン操作することで、適切に撮影待機状態に移行して撮影することができ、カメラの利用性をより一層向上させることができる。
【００２２】
さらに、例えば、請求項４に記載するように、前記カメラは、測光手段を備え、前記制御手段は、前記非撮影待機状態時に前記メインスイッチがオン操作されると、前記測光手段に測光動作を行わせ、当該測光手段の測光結果に基づいて、前記メインスイッチのオン操作が撮影可能な状態での操作であるかを判断してもよい。
【００２３】
上記構成によれば、非撮影待機状態時にメインスイッチがオン操作されると、測光手段に測光動作を行わせ、当該測光手段の測光結果に基づいて、メインスイッチのオン操作が撮影可能な状態での操作であるかを判断するので、例えば、カメラがケースやバッグ等の中に収納されて暗い状態であるかどうかで撮影可能状態かどうかを安価にかつ適切に判断して、撮影待機状態に移行するかどうかを制御することができ、カメラを安価で利用性の良好なとすることができる。
【００２４】
また、例えば、請求項５に記載するように、前記カメラは、測光手段を備え、前記制御手段は、前記非撮影待機状態時に前記メインスイッチがオン操作されると、前記測光手段に測光動作を行わせ、当該測光手段の測光結果が所定レベルよりも明るいと、前記メインスイッチのオン操作が撮影可能な状態での操作であるかを判断してもよい。
【００２５】
上記構成によれば、非撮影待機状態時にメインスイッチがオン操作されると、測光手段に測光動作を行わせ、当該測光手段の測光結果が所定レベルよりも明るいと、メインスイッチのオン操作が撮影可能な状態での操作であるかを判断するので、例えば、カメラがケースやバッグ等の中に収納されて暗い状態であるかどうかで撮影可能状態かどうかを安価にかつ適切に判断して、撮影待機状態に移行するかどうかを制御することができ、カメラを安価で利用性の良好なものとすることができる。
【００２６】
さらに、例えば、請求項６に記載するように、前記カメラは、測光手段と測距手段を備え、前記制御手段は、前記非撮影待機状態時に前記メインスイッチがオン操作されると、前記測光手段に測光動作を行わせるとともに前記測距手段に測距動作を行わせ、当該測光手段の測光結果が所定測光レベルよりも明るく、かつ、当該測距手段の測距結果が所定距離よりも遠いと、前記メインスイッチのオン操作が撮影可能状態での操作であると判断して、前記撮影待機状態に移行させてもよい。
【００２７】
上記構成によれば、非撮影待機状態時にメインスイッチがオン操作されると、測光手段に測光動作を行わせるとともに測距手段に測距動作を行わせ、当該測光手段の測光結果が所定測光レベルよりも明るく、かつ、当該測距手段の測距結果が所定距離よりも遠いと、メインスイッチのオン操作が撮影可能状態での操作であると判断して、撮影待機状態に移行するので、測光と測距の両方に基づいて撮影可能状態かどうかを安価にかつより一層適切に判断して、撮影待機状態に移行するかどうかを制御することができ、カメラを安価でより一層利用性の良好なものとすることができる。
【００２８】
また、例えば、請求項７に記載するように、前記カメラは、測光手段と測距手段を備え、前記制御手段は、前記非撮影待機状態時に前記メインスイッチがオン操作されると、前記測光手段に測光動作を行わせるとともに前記測距手段に測距動作を行わせ、当該測光手段の測光結果が所定測光レベルよりも明るく、かつ、当該測距手段の測距結果が測距可能であると、前記メインスイッチのオン操作が撮影可能状態での操作であると判断して、前記撮影待機状態に移行させるものであってもよい。
【００２９】
上記構成によれば、非撮影待機状態時にメインスイッチがオン操作されると、測光手段に測光動作を行わせるとともに測距手段に測距動作を行わせ、当該測光手段の測光結果が所定測光レベルよりも明るく、かつ、当該測距手段の測距結果が測距可能であると、メインスイッチのオン操作が撮影可能状態での操作であると判断して、撮影待機状態に移行するので、測光と測距の両方に基づいて撮影可能状態かどうかを安価にかつより一層適切に判断して、撮影待機状態に移行するかどうかを制御することができ、カメラを安価でより一層利用性の良好なものとすることができる。
【００３０】
さらに、例えば、請求項８に記載するように、前記カメラは、前記所定測光レベル及び前記所定測距レベルを書換可能に記憶する記憶手段を備え、当該記憶手段の記憶する前記所定測光レベル及び前記所定測距レベルが適宜変更可能であってもよい。
【００３１】
上記構成によれば、撮影可能状態か否かの判断基準としての所定測光レベル及び所定測距レベルを書換可能に記憶手段に記憶し、所定測光レベル及び所定測距レベルを適宜変更可能としているので、カメラの利用形態に応じて、撮影可能状態かどうかをより一層適切に判断することができ、カメラの利用性をより一層向上させることができる。
【００３２】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３３】
図１〜図４は、本発明のカメラの一実施の形態を示す図であり、図１は、本発明のカメラの一実施の形態を適用したカメラ１の要部構成図である。
【００３４】
図１において、カメラ１は、本体筐体（カメラ本体）２内に、制御部３、測光部４、測距部５を備えているとともに、レンズ鏡銅６とメインスイッチ７等を備えている。
【００３５】
制御部（制御手段）３は、マイクロコンピュータ等で構成され、カメラ１の各部の動作を制御する。
【００３６】
測光部（測光手段）４は、被写体の明るさを測光し、測光結果を制御部３に通信する機能を備えたいわゆる、測光用ＩＣである。
【００３７】
制御部３は、測光部４からの測光情報を用いて各種の演算を行い、被写体輝度情報を算出して記憶するとともに、シャッタ制御時間、Ｆ値情報等に変換して、記憶する。
【００３８】
測距部（測距手段）５は、被写体との距離を測距し、測距結果を制御部に通信する機能を備えたいわゆるオートフォーカス用ＩＣである。制御部３は、測距部５からの測距結果を用いて各種演算処理を行い、被写体距離情報を算出して記憶するとともに、フォーカス繰り出し情報に変換して記憶する。
【００３９】
メインスイッチ７は、非撮影待機状態と、撮影待機状態を切り換えるためのスイッチであり、制御部３は、非撮影待機状態では、レンズ鏡銅６をカメラ１の本体筐体２内に収納させるように駆動し、撮影状態では、レンズ鏡銅６を撮影待機状態まで繰り出さすように駆動する。
【００４０】
この非撮影待機状態は、レンズ鏡銅６を本体筐体２内に収納して消費電力を削減するためのモード等であり、制御部３は、メインスイッチ７と図示しない特別なスイッチ以外の操作のみを受け付け、その他のスイッチの操作を受け付けない状態に設定する。
【００４１】
また、撮影待機状態は、レンズ鏡銅６を待機位置に繰り出して撮影を可能とする待機状態であり、制御部３は、一般的な操作スイッチの操作を受け付ける状態に設定する。
【００４２】
次に、本実施の形態の作用を説明する。本実施の形態のカメラ１は、非撮影待機状態でメインスイッチ７が操作されて、撮影待機状態に移行するに際して、撮影可能状態か否かを判断して、撮影可能状態であると、撮影待機状態に移行する。
【００４３】
すなわち、カメラ１は、非撮影待機状態では、図２（ａ）に示すように、レンズ鏡銅６を完全に本体筐体２内に収納しており、通常、この非撮影待機状態か、完全にメインスイッチ７がオフにされた状態で、ケース１０内に収納される。非撮影待機状態では、メインスイッチ７が操作されると、通常は、撮影可能状態となって、速やかな撮影を可能としている。
【００４４】
ところが、カメラ１の通常の携帯状態の１つとして行われるように、図２（ａ）に示すように、カメラ１が非撮影待機状態でケース１０内に収納された状態で、カバン等の中に入れて持ち歩かれると、カバン等の中の他の機材等の物の突起部等でケース１０の上からメインスイッチ７が押されることがある。
【００４５】
このような場合に、カメラ１が、非撮影待機状態から撮影待機状態に移行して、図２（ｂ）に示すように、レンズ鏡銅６を本体筐体２内から繰り出すと、ケース１０がはち切れて破損したり、ケース１０が頑強な素材で作成されているときには、レンズ鏡銅６に過剰な負荷がかかって、レンズ鏡銅６を駆動するためのモータドライバ系の回路が加熱破損したり、レンズ鏡銅６のギア系を破損する結果となる。
【００４６】
そこで、本実施の形態のカメラ１は、非撮影待機状態にメインスイッチ７が操作されても、撮影可能状態であるかどうかを判断して、撮影可能状態のときにのみ、撮影待機状態に移行する。
【００４７】
すなわち、カメラ１は、図３に示すように、非撮影待機状態において、メインスイッチ７が操作（オン）されると、制御部３が測光部４に測光を行わせ、測光部４の測光結果に基づいて演算処理を行って、被写体輝度情報を算出して記憶するとともに、シャッタ制御時間、Ｆ値情報等に変換して、記憶し（ステップＳ１０２）、演算結果の輝度が所定の設定輝度（例えば、ＬＶ２）以下であるかチェックする（ステップＳ１０２）。
【００４８】
ステップＳ１０２で、演算結果の輝度が所定の設定輝度よりも低いときには、制御部３は、測距部５に測距を行わせ、測距部５の測距結果に基づいて演算処理を行って、被写体距離情報を算出して記憶するとともに、フォーカス繰り出し情報に変換して記憶し（ステップＳ１０３）、演算結果が被写体までの距離を測距できたかどうかチェックする（ステップＳ１０４）。
【００４９】
ステップＳ１０４で、演算結果が被写体までの距離を測距不可能、または、近距離のＮＧレベルであると、制御部３は、不正なメインスイッチ７である可能性が高いとして、タイマをスタートさせ（ステップＳ１０５）、メインスイッチ７が操作されたかを調査して（ステップＳ１０６）、所定回数、例えば、３回オン／オフされたかをチェックする（ステップＳ１０７）。
【００５０】
メインスイッチ７が所定回数オン／オフ操作されていないと、制御部３は、タイマが所定時間、例えば、１秒経過したかチェックし（ステップＳ１０８）、ステップＳ１０８で、タイマが所定時間経過していないときには、ステップＳ１０６に戻って同様の処理を繰り返すことで、メイン操作７が所定時間内に所定回数オン／オフ操作されたかをチェックする（ステップＳ１０６〜Ｓ１０８）。
【００５１】
メイン操作７が所定回数オン／オフ操作されることなく、ステップＳ１０８で、所定時間が経過すると、制御部７は、カバン等内の他の物によるメインスイッチ７の押下等の不正なメインスイッチ７の操作であると判断して、ステップＳ１０１に移行し、非撮影待機状態に戻る。
【００５２】
上記ステップＳ１０２で、測光情報に基づく演算結果の輝度が所定の設定輝度（ＬＶ２）よりも高いと、制御部３は、適切なメインスイッチ７の操作であると判断して、撮影待機状態に移行する（ステップＳ１０９）。
【００５３】
また、上記ステップＳ１０４で、測距情報に基づく演算結果が適切に測距できたときには、制御部３は、適切なメインスイッチ７の操作であると判断して、撮影待機状態に移行する（ステップＳ１０９）。
【００５４】
さらに、ステップＳ１０７で、メインスイッチ７が所定時間（例えば、１秒）以内に所定回数（例えば、３回）操作されると、制御部３は、適切なメインスイッチ７の操作であると判断して、撮影待機状態に移行する（ステップＳ１０９）。すなわち、通常の撮影で、輝度がＬＶ２以下等のように非常に暗く、かつ、被写体にコントラストがなくて測距不能であるよな被写体を撮影する場合に、操作者がメインスイッチ７を押すことで、撮影待機状態にならない不具合を解消して、撮影待機状態に移行して、カメラ１のフラッシュ装置を作動させる等の動作処理を行って、適切に被写体を撮影することができる。
【００５５】
そして、カメラ１は、撮影待機状態に移行すると、制御部３が、レンズ鏡銅６を撮影待機位置に移動するように駆動し（ステップＳ２０１）、撮影待機状態での表示モードに表示部の表示設定を行う（ステップＳ２０２）。制御部３は、さらに、各種操作スイッチの操作の受付許可等を行って、撮影を可能な状態とする（ステップＳ２０３）。
【００５６】
なお、上記ステップＳ１０６〜Ｓ１０８の処理では、所定時間内に所定回数以上メインスイッチ７がオン操作されるかをチェックしているが、所定時間の間連続してメインスイッチ７がオン操作されているかをチェックして、撮影待機状態に移行するようにしてもよい。
【００５７】
また、上記説明では、カメラ１は、測光結果と測距結果の双方の情報に基づいて、非撮影待機状態から撮影待機状態に移行に移行するか否かを制御しているが、測光結果のみに基づいて非撮影待機状態から撮影待機状態に移行に移行するか否かを制御するようにしてもよい。この場合、測光結果が所定レベル以下か否かに基づいて、非撮影待機状態から撮影待機状態に移行に移行するか否かを制御する。このようにすると、測距機能を有していない簡易なカメラにも適用することができる。
【００５８】
このように、本実施の形態のカメラ１は、非撮影待機状態時にメインスイッチ７がオン操作されると、当該メインスイッチ７のオン操作が撮影可能な状態での操作であるかを判断し、撮影可能な状態での操作であると判断すると、撮影待機状態に移行している。
【００５９】
したがって、通常の操作スイッチを変更することもなく、制御部３のプログラミングを変更するだけで、例えば、図２に示したように、カメラ専用のケース１０やバッグ等の中にカメラ１が収納されて非撮影待機状態にある状態で、メインスイッチ７がオン操作されても、撮影不可能状態であると判断して、撮影待機状態への移行を禁止して、ケース１０やバッグ等の中でレンズ鏡銅６が待機位置に繰り出されてケース１０を破損したり、レンズ鏡銅６やレンズ鏡銅６の駆動系に過負荷がかかって損傷を与えることを防止することができ、カメラ１の利用性、特に、カメラ１が、ワンプッシュメインスイッチ付きのズームカメラである場合の利用性を向上させることができる。
【００６０】
また、メインスイッチ７を誤動作防止のために必要以上に本体筐体２の表面から奥に位置させる必要もなく、カメラ１の設計上のレイアウトの自由度を向上させることができるとともに、メインスイッチ７を奥に配置させることによる操作性の悪化を防止することができる。
【００６１】
また、本実施の形態のカメラ１は、非撮影待機状態時にメインスイッチ７が所定時間以上連続してオン操作されると、当該メインスイッチ７のオン操作が撮影不可能な状態での操作であっても、撮影待機状態に移行している。
【００６２】
したがって、非常に暗く、被写体にコントラストがない撮影状況等のように種々の撮影状況に応じて、メインスイッチ７を連続してオン操作することで、適切に撮影待機状態に移行して撮影することができ、カメラ１の利用性をより一層向上させることができる。
【００６３】
さらに、本実施の形態のカメラ１は、非撮影待機状態時にメインスイッチ７が所定時間内に所定回数オン操作されると、当該メインスイッチ７のオン操作が撮影不可能な状態での操作であっても、撮影待機状態に移行している。
【００６４】
したがって、非常に暗く、被写体にコントラストがない撮影状況等のように種々の撮影状況に応じて、メインスイッチ７を所定回数オン操作することで、適切に撮影待機状態に移行して撮影することができ、カメラ１の利用性をより一層向上させることができる。
【００６５】
また、本実施の形態のカメラ１は、非撮影待機状態時にメインスイッチ７がオン操作されると、測光部４に測光動作を行わせ、当該測光部４の測光結果に基づいて、メインスイッチ７のオン操作が撮影可能な状態での操作であるかを判断している。
【００６６】
したがって、例えば、カメラ１がケース１０やバッグ等の中に収納されて暗い状態であるかどうかで撮影可能状態かどうかを安価にかつ適切に判断して、撮影待機状態に移行するかどうかを制御することができ、カメラ１を安価で利用性の良好なとすることができる。
【００６７】
さらに、本実施の形態のカメラ１は、非撮影待機状態時にメインスイッチ７がオン操作されると、測光部４に測光動作を行わせ、当該測光部４の測光結果が所定レベルよりも明るいと、メインスイッチ７のオン操作が撮影可能な状態での操作であるかを判断している。
【００６８】
したがって、例えば、カメラ１がケース１０やバッグ等の中に収納されて暗い状態であるかどうかで撮影可能状態かどうかを安価にかつ適切に判断して、撮影待機状態に移行するかどうかを制御することができ、カメラ１を安価で利用性の良好なものとすることができる。
【００６９】
また、本実施の形態のカメラ１は、非撮影待機状態時にメインスイッチ７がオン操作されると、測光部４に測光動作を行わせるとともに測距部５に測距動作を行わせ、当該測光部４の測光結果が所定測光レベルよりも明るく、かつ、当該測距部５の測距結果が所定距離よりも遠いと、メインスイッチ７のオン操作が撮影可能状態での操作であると判断して、撮影待機状態に移行している。
【００７０】
したがって、測光と測距の両方に基づいて撮影可能状態かどうかを安価にかつより一層適切に判断して、撮影待機状態に移行するかどうかを制御することができ、カメラ１を安価でより一層利用性の良好なものとすることができる。
【００７１】
さらに、本実施の形態のカメラ１は、非撮影待機状態時にメインスイッチ７がオン操作されると、測光部４に測光動作を行わせるとともに測距部５に測距動作を行わせ、当該測光部４の測光結果が所定測光レベルよりも明るく、かつ、当該測距部５の測距結果が測距可能であると、メインスイッチ７のオン操作が撮影可能状態での操作であると判断して、撮影待機状態に移行している。
【００７２】
したがって、測光と測距の両方に基づいて撮影可能状態かどうかを安価にかつより一層適切に判断して、撮影待機状態に移行するかどうかを制御することができ、カメラ１を安価でより一層利用性の良好なものとすることができる。
【００７３】
なお、上記ステップＳ１０２での測光結果の判定及びステップＳ１０４での測距結果の演算結果の判定では、測光部４と測距部５の特性及びカメラ１を収納するケース１０内の状態、例えば、ケース１０が厚いか、薄いか、ケース１０の色や測距部５であるＡＦセンサの特徴等により測光の所定レベルやＡＦの測距結果の種々の組み合わせを適宜設定することができる。
【００７４】
また、上記ステップＳ１０２で判断する所定の設定輝度及びステップＳ１０４での測距結果の演算結果の判定データは、例えば、ＥＥＰＲＯＭ（ＥｌｅｃｔｒｉｃａｌｌｙＥｒａｓａｂｌｅ　ａｎｄ　Ｐｒｏｇｒａｍｍａｂｌｅ　Ｒｅａｄ　Ｏｎｌｙ　Ｍｅｍｏｒｙ）等の書換可能なメモリに設定輝度を記憶して、カメラ１のユーザの使用状況等に応じて適宜変更可能としてもよい。
【００７５】
このようにすると、カメラ１の利用形態に応じて、撮影可能状態かどうかをより一層適切に判断することができ、カメラ１の利用性をより一層向上させることができる。
【００７６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７７】
【発明の効果】
請求項１記載の発明のカメラによれば、メインスイッチがオン操作されると、レンズ鏡銅を、カメラ本体内に収納した非撮影待機状態からカメラ本体から所定量突出した待機位置に繰り出す撮影待機状態に移行する場合に、非撮影待機状態時にメインスイッチがオン操作されると、当該メインスイッチのオン操作が撮影可能な状態での操作であるかを判断し、撮影可能な状態での操作であると判断すると、撮影待機状態に移行するので、例えば、カメラ専用のケースやバッグ等の中にカメラが収納されて非撮影待機状態にある状態で、メインスイッチがオン操作されても、撮影不可能状態であると判断して、撮影待機状態への移行を禁止して、ケースやバッグ等の中でレンズ鏡銅が待機位置に繰り出されてケースを破損したり、レンズ鏡銅やレンズ鏡銅の駆動系に過負荷がかかって損傷を与えることを防止することができ、カメラの利用性を向上させることができる。
【００７８】
請求項２記載の発明のカメラによれば、非撮影待機状態時にメインスイッチが所定時間以上連続してオン操作されると、当該メインスイッチのオン操作が撮影不可能な状態での操作であっても、撮影待機状態に移行するので、非常に暗く、被写体にコントラストがない撮影状況等のように種々の撮影状況に応じて、メインスイッチを連続してオン操作することで、適切に撮影待機状態に移行して撮影することができ、カメラの利用性をより一層向上させることができる。
【００７９】
請求項３記載の発明のカメラによれば、非撮影待機状態時にメインスイッチが所定時間内に所定回数オン操作されると、当該メインスイッチのオン操作が撮影不可能な状態での操作であっても、撮影待機状態に移行するので、非常に暗く、被写体にコントラストがない撮影状況等のように種々の撮影状況に応じて、メインスイッチを所定回数オン操作することで、適切に撮影待機状態に移行して撮影することができ、カメラの利用性をより一層向上させることができる。
【００８０】
請求項４記載の発明のカメラによれば、非撮影待機状態時にメインスイッチがオン操作されると、測光手段に測光動作を行わせ、当該測光手段の測光結果に基づいて、メインスイッチのオン操作が撮影可能な状態での操作であるかを判断するので、例えば、カメラがケースやバッグ等の中に収納されて暗い状態であるかどうかで撮影可能状態かどうかを安価にかつ適切に判断して、撮影待機状態に移行するかどうかを制御することができ、カメラを安価で利用性の良好なとすることができる。
【００８１】
請求項５記載の発明のカメラによれば、非撮影待機状態時にメインスイッチがオン操作されると、測光手段に測光動作を行わせ、当該測光手段の測光結果が所定レベルよりも明るいと、メインスイッチのオン操作が撮影可能な状態での操作であるかを判断するので、例えば、カメラがケースやバッグ等の中に収納されて暗い状態であるかどうかで撮影可能状態かどうかを安価にかつ適切に判断して、撮影待機状態に移行するかどうかを制御することができ、カメラを安価で利用性の良好なものとすることができる。
【００８２】
請求項６記載の発明のカメラによれば、非撮影待機状態時にメインスイッチがオン操作されると、測光手段に測光動作を行わせるとともに測距手段に測距動作を行わせ、当該測光手段の測光結果が所定測光レベルよりも明るく、かつ、当該測距手段の測距結果が所定距離よりも遠いと、メインスイッチのオン操作が撮影可能状態での操作であると判断して、撮影待機状態に移行するので、測光と測距の両方に基づいて撮影可能状態かどうかを安価にかつより一層適切に判断して、撮影待機状態に移行するかどうかを制御することができ、カメラを安価でより一層利用性の良好なものとすることができる。
【００８３】
請求項７記載の発明のカメラによれば、非撮影待機状態時にメインスイッチがオン操作されると、測光手段に測光動作を行わせるとともに測距手段に測距動作を行わせ、当該測光手段の測光結果が所定測光レベルよりも明るく、かつ、当該測距手段の測距結果が測距可能であると、メインスイッチのオン操作が撮影可能状態での操作であると判断して、撮影待機状態に移行するので、測光と測距の両方に基づいて撮影可能状態かどうかを安価にかつより一層適切に判断して、撮影待機状態に移行するかどうかを制御することができ、カメラを安価でより一層利用性の良好なものとすることができる。
【００８４】
請求項８記載の発明のカメラによれば、撮影可能状態か否かの判断基準としての所定測光レベル及び所定測距レベルを書換可能に記憶手段に記憶し、所定測光レベル及び所定測距レベルを適宜変更可能としているので、カメラの利用形態に応じて、撮影可能状態かどうかをより一層適切に判断することができ、カメラの利用性をより一層向上させることができる。
【図面の簡単な説明】
【図１】本発明のカメラの一実施の形態を適用したカメラの要部概略構成図。
【図２】図１のカメラを非撮影待機状態でケース内に収納した状態（ａ）とケース内で撮影可能状態となった状態（ｂ）を示す概略平面図。
【図３】図１のカメラによる非撮影待機状態での状態変移制御処理を示すフローチャート。
【図４】図１のカメラによる撮影可能状態での動作制御処理を示すフローチャート。
【符号の説明】
１　カメラ
２　本体筐体
３　制御部
４　測光部
５　測距部
６　レンズ鏡銅
７　メインスイッチ
１０　ケース
【図１】
2004037922.tif 000003
【図２】
2004037922.tif 000004
【図３】
2004037922.tif 000005
【図４】
2004037922.tif 000006